(57)【要約】    【課題】  不使用時には足掛けバーがポール内に収納され、美観がよく、建物と調和しやすい避難用梯子を提供する。    【解決手段】  中空の外ポール12と、この外ポール12内に上下動できるように挿入された中空の内ポール14と、この内ポール14に所定の間隔で取り付けられた足掛けバー16とを備える。各足掛けバー16はその一端側を内ポール内に固定された支持軸に回転可能に取り付けられる。内ポール14及び外ポール12の両側面には各足掛けバー16に対応して左右交互に開口部26が形成されている。内ポール14が上下動範囲の最下降位置にあるときは、足掛けバー16は解放端を上にして開口部26側へ傾いた状態で外ポール12内に収納されており、内ポール14を最下降位置から引き上げて行くと、足掛けバー16の解放端側が開口部26を通って外ポール12の外へ出て行き、内ポール14が上下動範囲の最上昇位置にくると、足掛けバー16が水平に保持されるようになっている。【選択図】    図１
2005171490.tif 000002
【特許請求の範囲】
【請求項１】
支柱となる中空の外ポールと、この外ポール内に上下動できるように挿入された中空の内ポールと、この内ポールに所定の間隔で取り付けられた足掛けバーとを備え、
各足掛けバーはその一端側を内ポール内に固定された支持軸に回転可能に取り付けられ、前記内ポール及び外ポールの両側面には各足掛けバーに対応して左右交互に開口部が形成されており、
内ポールが上下動範囲の最下降位置にあるときは、足掛けバーは解放端を上にして開口部側へ傾いた状態で外ポール内に収納されており、内ポールを前記最下降位置から引き上げて行くと、足掛けバーの解放端側が前記開口部を通って外ポールの外へ出て行き、内ポールが上下動範囲の最上昇位置にくると、足掛けバーが水平に保持されるようになっている、ことを特徴とする避難用梯子。
【請求項２】
請求項１記載の避難用梯子であって、外ポール及び内ポールの上部に、内ポールが最上昇位置までくることは妨げないが、最上昇位置にくると内ポールが下降するのを妨げるラッチ機構が設けられている避難用梯子。
【請求項３】
請求項１又は２記載の避難用梯子であって、外ポールの開口部の下端の内側に、足掛けバーを水平位置に保持するストッパーが設けられている避難用梯子。
【請求項４】
請求項１ないし３のいずれかに記載の避難用梯子であって、外ポールの開口部の上端の内側に、内ポールを引き上げるときに足掛けバーの解放端を外ポールの外へ案内するガイドが設けられている避難用梯子。
【請求項５】
請求項１ないし４のいずれかに記載の避難用梯子であって、足掛けバーの支持軸又はその近傍の内ポールに、足掛けバーを外ポールの外へ倒す方向の回転力を発生するバネが取り付けられている避難用梯子。
【請求項６】
請求項１ないし３のいずれかに記載の避難用梯子であって、外ポールの開口部下部付近の側壁の内面にピンを突設し、足掛けバーの側面にこのピンが入るカム溝を形成し、内ポールを引き上げたときに足掛けバーが前記ピンとカム溝の係合により外側へ倒れるようになっている避難用梯子。
【発明の詳細な説明】
【技術分野】
【０００１】
本発明は、固定式の避難用梯子に関するものである。
【背景技術】
【０００２】
特許文献１には、建物に固定される支柱に足掛けバーを回転可能に取り付けておき、使用しないときは足掛けバーが垂直に折りたたまれ、使用するときは足掛けバーを回転させて水平に保持できるようにした避難用梯子が開示されている。
【０００３】
【特許文献１】特開平８−１８４２７８号公報
【発明の開示】
【発明が解決しようとする課題】
【０００４】
特許文献１に開示されている避難用梯子は、不使用時には１本の柱のようになるので、設置スペースが小さくて済むという利点はあるが、足掛けバーが支柱の前面に露出しているため、次のような難点がある。(1)外観がわるく、建物と調和しにくい。(2)いたずら等により足掛けバーが損傷を受けやすく、いざというときに使用できなくなるおそれがある。(3)家のまわりを歩いていて足掛けバーに接触して怪我をするおそれも少なくない。
【０００５】
本発明の目的は、上記のような課題を解決した避難用梯子を提供することにある。
【課題を解決するための手段】
【０００６】
本発明に係る避難用梯子は、支柱となる中空の外ポールと、この外ポール内に上下動できるように挿入された中空の内ポールと、この内ポールに所定の間隔で取り付けられた足掛けバーとを備え、
各足掛けバーはその一端側を内ポール内に固定された支持軸に回転可能に取り付けられ、前記内ポール及び外ポールの両側面には各足掛けバーに対応して左右交互に開口部が形成されており、
内ポールが上下動範囲の最下降位置にあるときは、足掛けバーは解放端を上にして開口部側へ傾いた状態で外ポール内に収納されており、内ポールを前記最下降位置から引き上げて行くと、足掛けバーの解放端側が前記開口部を通って外ポールの外へ出て行き、内ポールが上下動範囲の最上昇位置にくると、足掛けバーが水平に保持されるようになっている、ことを特徴とするものである。
【０００７】
本発明に係る避難用梯子は、外ポール及び内ポールの上部に、内ポールが最上昇位置までくることは妨げないが、最上昇位置にくると内ポールが下降するのを妨げるラッチ機構が設けられている構成とすることが好ましい。
【０００８】
また本発明に係る避難用梯子は、外ポールの開口部の下端の内側に、足掛けバーを水平位置に保持するストッパーが設けられている構成とすることが好ましい。
【０００９】
また本発明に係る避難用梯子は、外ポールの開口部の上端の内側に、内ポールを引き上げるときに足掛けバーの解放端を外ポールの外へ案内するガイドが設けられている構成とすることが好ましい。
【００１０】
また本発明に係る避難用梯子は、足掛けバーの支持軸又はその近傍の内ポールに、足掛けバーを外ポールの外へ倒す方向の回転力を発生するバネが取り付けられている構成としてもよい。
【００１１】
また本発明に係る避難用梯子は、外ポールの開口部下部付近の側壁の内面にピンを突設し、足掛けバーの側面にこのピンが入るカム溝を形成し、内ポールを引き上げたときに足掛けバーが前記ピンとカム溝の係合により外側へ倒れるようした構成としてもよい。
【発明の効果】
【００１２】
本発明に係る避難用梯子は、梯子として使用しない時は足掛けバーが外ポール内に収納されているが、収納状態では足掛けバーが解放端を上にして開口部側へ傾いているので、内ポールを引き上げれば、足掛けバーが支持軸を中心として回転しながら開口部を通って外ポールの外へ出て行き、簡単に梯子として使用できる状態にすることができる。また梯子として使用しない時は、足掛けバーが外ポール内に収納され、外部に突出することがないので、美観がよく、建物と調和しやすく、また、いたずら等により壊されるおそれがなく、接触しても怪我をするおそれがない等の利点がある。
【発明を実施するための最良の形態】
【００１３】
図１ないし図５は本発明の一実施形態を示す。図において、１０は避難用梯子、１２は支柱となる中空の外ポール、１４は外ポール１２内に上下動できるように挿入された中空の内ポール、１６は内ポール１４に所定の間隔で取り付けられた足掛けバーである。外ポール１２及び内ポール１４はアルミ押出型材で構成することが好ましく、足掛けバー１６もアルミ製とすることが好ましい。図１（Ａ）及び図２は足掛けバー１６を外ポール１２内に収納した状態（梯子不使用時の状態）を示し、図１（Ｂ）及び図４は足掛けバー１６を外ポール１２の両側に張り出させた状態（梯子使用時の状態）、図１（Ｃ）は避難用梯子１０を建物の外壁２０に取り付けた状態を示す。
【００１４】
各足掛けバー１６はその一端側を、内ポール１４内に固定された支持軸２２に回転可能に取り付けられている。内ポール１４の側面には足掛けバー１６に対応して足掛けバー１６の全長が入る大きさの開口部２４が形成されている。外ポール１２の側面には内ポール１４の開口部２４と重なる位置に足掛けバー１６が外ポール１２の外へ出ていくのに必要な最小限の大きさの開口部２６が形成されている。外ポール１２及び内ポール１４の開口部２６、２４は各足掛けバー１６に対応して左右交互に形成されている。
【００１５】
足掛けバー１６の支持軸２２の位置は、図２に示すように、上下方向には内ポール１４の開口部２４の下端付近に、左右方向には中心よりも開口部２４と反対側の側壁に近い方に、設定されている。足掛けバー１６は、内ポール１４が上下動範囲の最下降位置にあるときに、解放端を上にして開口部２４側へ傾いた状態で、外ポール１２内に収納されている。外ポール１２の開口部２６の下端の内側には、後述するように足掛けバー１６を水平位置に保持するストッパー２７が設けられている。このストッパー２７は足掛けバー１６を収納位置に保持するストッパーを兼ねている。足掛けバー１６を上記のように収納しておくと、内ポール１４を最下降位置から引き上げることにより、足掛けバー１６の解放端側が開口部２４、２６を通って外ポール１２の外へ出て行くようになるが、この動作をより確実にするため、外ポール１２の開口部２６の上端の内側にガイド２８が設けられ、かつ支持軸２２にコイルバネ２９が取り付けられている。ガイド２８は内ポール１４が引き上げられたときに足掛けバー１６の解放端を外ポール１２の外へ案内するものであり、コイルバネ２９は足掛けバー１６を常に外ポール１２の外へ倒す方向（図２で反時計回り）の回転力を発生するものである。
【００１６】
内ポール１４の上端には把手３０がボルトナット３２により取り付けられている。３４は内ポール１４に把手３０を取り付けたり、後述するラッチ機構を点検したりするための作業穴である。図１（Ａ）のように足掛けバー１６が収納された状態にある避難用梯子１０を、梯子として使用できる状態にするには、把手３０を握って内ポール１４を引き上げればよい。内ポール１４の引き上げをスムーズに行えるようにするため、内ポール１４には図２のようにローラー３５が取り付けられている。ローラー３５は上下方向に適当な間隔をおいて複数箇所に取り付けられている。内ポール１４を引き上げて行くと、足掛けバー１６は、その先端が図３の破線Ｋのような軌跡を描いて外ポール１２の外に出て行く。
【００１７】
内ポール１４の上部には図２に示すように肩部３６が形成され、そのすぐ上に可動爪３８が外向きに取り付けられている。可動爪３８は常時はバネ（図示ぜず）の力で突出しているが、押し込み方向の外力が加わると内ポール１４内に引っ込むように取り付けられている。また外ポール１２の上端には内向きに固定爪４０が取り付けられている。可動爪３８は先端側に上向き傾斜面３８ａを有しており、固定爪４０は先端側に下向き傾斜面４０ａを有している。可動爪３８と固定爪４０は内ポール１４が最上昇位置にきた時に把手３０を離しても内ポール１４が下降しないようにするためのラッチ機構を構成する。
【００１８】
内ポール１４を引き上げて行くと、最終段階で、可動爪３８が固定爪４０に当たっていったん引っ込んだ後、図４のように固定爪４０の上に突き出す。それと同時に内ポール１４の肩部３６が固定爪４０に突き当たる。このため内ポール１４は、それ以上引き上げることも押し下げることも出来なくなる。これが内ポール１４の最上昇位置である。内ポール１４が最上昇位置にくると、足掛けバー１６が水平になり、梯子として使用できるようになる。
【００１９】
また梯子を不使用時の状態にもどすには、内ポール１４の上部に設けられた角形の可動爪引き込み棒４１を左右どちらかに半回転させて可動爪３８を引っ込めることでラッチ機構を解除した後、最上部の把手３０を握り、そのまま内ポール１４を引き下げればよい。
【００２０】
なお足掛けバー１６が水平になっても、足掛けバー１６の解放端側が持ち上がるように回動すると、安定感が損なわれる。これを防止するためこの実施形態では、足掛けバー１６の側面に、くの字形に曲がった溝４２を形成し、外ポール１２の内面にこの溝４２に入る固定ピン４４を突設しておいて、足掛けバー１６が水平になると、固定ピン４４が溝４２の奥に入り込んで、足掛けバー１６の解放端側が持ち上がらないようにしてある。また足掛けバー１６の足踏み面には、滑り止め効果を得るため、表面に凹凸加工を施したゴムシートを張り合わせることが好ましい。
【００２１】
以上のように構成された避難用梯子１０は、図１（Ｃ）に示すように取り付け金具４６により、建物の外壁２０に垂直に取り付けられる。この避難用梯子１０は２階用又は３階用を１本もので作ることは難しいし、運送上も問題があるので、途中に接続部４８が設けられている。接続部４８では、内ポール１４は図５（Ａ）に示すように外面に突出部ができないように先付けナット４９とボルト５０で接続され、外ポール１２は同図（Ｂ）に示すように内面突出部ができないようにボルト５１とナット５２で接続されている。
【００２２】
この避難用梯子１０は、不使用時には足掛けバー１６が外ポール内部に収納され、１本の柱のようになるので、例えば図６に示すようにバルコニー５４の柱として使用しても美観が損なわれることはなく、避難用梯子付きバルコニーとしての商品化も可能である。
【００２３】
以上の実施形態では、内ポール１４を引き上げたときに、足掛けバー１６の解放端側が確実に外ポール１２の外へ出て行くようにするため、外ポール１２の開口部２６の上端の内側にガイド２８を設け、支持軸２２にバネ２９を取り付けたが、例えば図７のような構成にすれば、ガイド２８及びバネ２９を省略することも可能である。すなわち図７の構成は、外ポール１２の開口部２６の下部付近の側壁の内面にピン４４を突設し、足掛けバー１６の側面にこのピン４４が入るカム溝４５を形成し、内ポール１４を引き上げたときに足掛けバー１６が前記ピン４４とカム溝４５の係合により外側へ倒れ、水平位置に保持されるようしたものである。
【００２４】
また、この避難用梯子１０は外ポール１２及び内ポール１４に開口部２６、２４が形成されているので、内部にほこり等が入って溜まる可能性があるが、これを回避するためには、外ポール１２の開口部２６に、足掛けバー１６の出入りに支障のないカバーを被せておくとよい。その一例を図８に示す。これは、外ポール１２の開口部２６を覆うように薄いゴム膜５８を貼り付け、ゴム膜５８に足掛けバー１６の出入りを可能にするスリット６０を形成したものである。
【００２５】
また、この避難用梯子１０を、取り付け金具４６により建物の外壁２０に簡単に取り付けられるようにするためには、図９に示すように、外ポール１２の背面長手方向に取り付け金具４６の先端のＴ形部が引っ掛かる鉤形突条６２を形成しておいて、取り付け金具４６が長手方向のどの位置にでも取り付けられるようにしておくことが好ましい。
【図面の簡単な説明】
【００２６】
【図１】本発明に係る避難用梯子の一実施形態を示す、（Ａ）は梯子不使用時の正面図、（Ｂ）は梯子使用時の正面図、（Ｃ）は建物に取り付けた状態の側面図。
【図２】図１の避難用梯子の上部の不使用時の断面図。
【図３】図１の避難用梯子の足掛けバーの回動状態を示す断面図。
【図４】図１の避難用梯子の上部の使用時の断面図。
【図５】図１の避難用梯子の、（Ａ）は内ポールの接続部の断面図、（Ｂ）は外ポールの接続部の断面図。
【図６】図１の避難用梯子の取り付け状態を示す斜視図。
【図７】本発明に係る避難用梯子の他の実施形態を示す要部の断面図。
【図８】本発明に係る避難用梯子の防塵対策の一例を示す、（Ａ）は要部の側面図、（Ｂ）は（Ａ）のＢ−Ｂ線断面図。
【図９】本発明に係る避難用梯子における、取り付け金具の取り付けが容易な外ポールの構造を示す断面図。
【符号の説明】
【００２７】
１０：避難用梯子
１２：外ポール
１４：内ポール
１６：足掛けバー
２０：建物の外壁
２２：支持軸
２４：内ポール１４の開口部
２６：外ポール１２の開口部
２８：ガイド
２９：コイルバネ
３０：把手
３６：肩部
３８：可動爪
４０：固定爪
４２：溝
４４：固定ピン
４６：取り付け金具
４８：接続部
５４：バルコニー
５８：ゴム膜
６０：スリット
【図１】
2005171490.tif 000003
【図２】
2005171490.tif 000004
【図３】
2005171490.tif 000005
【図４】
2005171490.tif 000006
【図５】
2005171490.tif 000007
【図６】
2005171490.tif 000008
【図７】
2005171490.tif 000009
【図８】
2005171490.tif 000010
【図９】
2005171490.tif 000011